【手続補正書】
【提出日】平成30年7月23日(2018.7.23)
【手続補正１】
【補正対象書類名】特許請求の範囲
【補正対象項目名】全文
【補正方法】変更
【補正の内容】
【特許請求の範囲】
【請求項１】
フォーカスレンズの駆動範囲を制限する所定のモードにおける前記フォーカスレンズの駆動範囲の少なくとも１つの端位置の指定を受け付ける受け付け手段と、
前記受け付け手段を介して指定された前記所定のモードにおける前記端位置に関する第１の情報を取得する取得手段と、
前記第１の情報に基づいて、前記所定のモードにおける前記フォーカスレンズの駆動を制御する制御手段と、を有し、
前記制御手段は、前記受け付け手段を介して前記所定のモードにおける前記端位置を指定された際に、当該指定された端位置から前記フォーカスレンズの可動範囲における端位置へ前記フォーカスレンズを駆動し、前記取得手段は、当該駆動が行われた際の駆動量に対応する情報を前記第１の情報として取得することを特徴とするレンズ制御装置。
【請求項２】
前記制御手段は、前記フォーカスレンズの可動範囲における前記端位置に前記フォーカスレンズを駆動してから、前記第１の情報に基づいて前記所定のモードにおける前記端位置に前記フォーカスレンズを駆動し、前記所定のモードにおける前記端位置から焦点検出のための前記フォーカスレンズの駆動を開始することを特徴とする請求項１に記載のレンズ制御装置。
【請求項３】
前記駆動量に対応する情報は、前記フォーカスレンズの駆動パルス数を示す情報であることを特徴とする請求項１または２に記載のレンズ制御装置。
【請求項４】
前記所定のモードにおける前記フォーカスレンズの駆動範囲の端位置が指定されない場合、前記フォーカスレンズの可動範囲における端位置を前記所定のモードにおける前記フォーカスレンズの駆動範囲の端位置とすることを特徴とする請求項１乃至３のいずれか１項に記載のレンズ制御装置。
【請求項５】
前記制御手段は、前記フォーカスレンズが可動範囲における端位置に到達したことを判定可能であることを特徴とする請求項１乃至４のいずれか１項に記載のレンズ制御装置。
【請求項６】
前記制御手段は、合焦位置を検出するため所定の範囲において前記フォーカスレンズを駆動するスキャン動作を行い、前記所定の範囲は、前記所定のモードにおける前記フォーカスレンズの駆動範囲の一方の端位置からもう一方の端位置までの範囲であることを特徴とする請求項１乃至５のいずれか１項に記載のレンズ制御装置。
【請求項７】
前記制御手段は、前記スキャン動作を行う際に、前記フォーカスレンズの可動範囲における前記端位置に前記フォーカスレンズを駆動してから、前記第１の情報に基づいて、前記所定のモードにおける前記端位置に前記フォーカスレンズを駆動し、前記所定のモードにおける前記端位置から前記スキャン動作を開始することを特徴とする請求項６に記載のレンズ制御装置。
【請求項８】
前記制御手段は、前記スキャン動作を行う際に、前記フォーカスレンズの可動範囲における前記端位置に前記フォーカスレンズを駆動する前の位置から前記可動範囲における前記端位置までの駆動量を記憶し、前記スキャン動作により合焦位置が検出されなかった場合、記憶した前記駆動量に基づいて、前記フォーカスレンズの可動範囲における前記端位置に前記フォーカスレンズを駆動する前の位置に前記フォーカスレンズを駆動することを特徴とする請求項７に記載のレンズ制御装置。
【請求項９】
前記第１の情報は、前記フォーカスレンズの可動範囲におけるいずれか一方の端位置から前記所定のモードにおける前記フォーカスレンズの駆動範囲の両方の端位置までの駆動量に対応する情報を含むことを特徴とする請求項１乃至８のいずれか１項に記載のレンズ制御装置。
【請求項１０】
前記制御手段は、前記第１の情報に基づいて、前記所定のモードにおける前記フォーカスレンズの駆動範囲の一方の端位置からもう一方の端位置までの駆動量を算出し、当該駆動量を焦点検出を行う際の駆動量とすることを特徴とする請求項９に記載のレンズ制御装置。
【請求項１１】
前記第１の情報は、前記フォーカスレンズの可動範囲におけるいずれか一方の端位置から前記所定のモードにおける前記フォーカスレンズの駆動範囲のいずれか一方の端位置までの駆動量、および、前記フォーカスレンズの可動範囲におけるもう一方の端位置から前記所定のモードにおける前記フォーカスレンズの駆動範囲のもう一方の端位置までの駆動量に対応する情報を含むことを特徴とする請求項１乃至８のいずれか１項に記載のレンズ制御装置。
【請求項１２】
前記取得手段は、前記フォーカスレンズの可動範囲における一方の端位置からもう一方の端位置までの駆動量に対応する第２の情報を取得することを特徴とする請求項１１に記載のレンズ制御装置。
【請求項１３】
前記制御手段は、前記第１の情報と前記第２の情報に基づいて、前記所定のモードにおける前記フォーカスレンズの駆動範囲の一方の端位置からもう一方の端位置までの駆動量を算出し、当該駆動量を焦点検出を行う際の駆動量とすることを特徴とする請求項１２に記載のレンズ制御装置。
【請求項１４】
前記フォーカスレンズの可動範囲における端位置は、前記フォーカスレンズの駆動機構における機械的な端位置であることを特徴とする請求項１乃至１３のいずれか１項に記載のレンズ制御装置。
【請求項１５】
前記制御手段は、取得された前記第１の情報を記憶部に記憶し、前記所定のモードにおいて、前記記憶部に記憶されている前記第１の情報に基づいて前記フォーカスレンズの駆動を制御する請求項１乃至１４のいずれか１項に記載のレンズ制御装置。
【請求項１６】
指定された前記所定のモードにおける前記フォーカスレンズの駆動範囲の至近側の端位置が、記憶されている前記所定のモードにおける前記フォーカスレンズの駆動範囲の無限遠側の端位置よりも無限遠側の場合、当該無限遠側の端位置を前記フォーカスレンズの可動範囲における無限遠側の端位置にリセットすることを特徴とする請求項１５に記載のレンズ制御装置。
【請求項１７】
指定された前記所定のモードにおける前記フォーカスレンズの駆動範囲の無限遠側の端位置が、記憶されている前記所定のモードにおける前記フォーカスレンズの駆動範囲の至近側の端位置よりも至近側の場合、当該至近側の端位置を前記フォーカスレンズの可動範囲における至近側の端位置にリセットすることを特徴とする請求項１５または１６に記載のレンズ制御装置。
【請求項１８】
前記レンズ制御装置の電源が切られてから再び起動されたときに、前記制御手段は、前記記憶部に記憶されている前記第１の情報をリセットすることを特徴とする請求項１５乃至１７のいずれか１項に記載のレンズ制御装置。
【請求項１９】
焦点距離が変更された場合、前記制御手段は、前記記憶部に記憶されている前記第１の情報をリセットすることを特徴とする請求項１５乃至１８のいずれか１項に記載のレンズ制御装置。
【請求項２０】
前記第１の情報は、焦点距離の変化に応じて異なる値が設定されることを特徴とする請求項１乃至１９のいずれか１項に記載のレンズ制御装置。
【請求項２１】
自動で焦点調節を行う場合に、前記所定のモードを有効にするかどうかを切り替え可能であることを特徴とする請求項１乃至２０のいずれか１項に記載のレンズ制御装置。
【請求項２２】
手動で焦点調節を行う場合に、前記所定のモードを無効にすることを特徴とする請求項１乃至２１のいずれか１項に記載のレンズ制御装置。
【請求項２３】
前記制御手段は、繰り返し合焦位置を検出して焦点調節を行う場合、前記所定のモードを無効にすることを特徴とする請求項１乃至２２のいずれか１項に記載のレンズ制御装置。
【請求項２４】
前記レンズ制御装置は、レンズ装置を着脱可能な撮像装置に設けられ、
前記レンズ装置が前記フォーカスレンズの位置を絶対位置として取得可能でない場合、前記制御手段は、前記受け付け手段を介して指定された前記所定のモードにおける端位置から前記フォーカスレンズの可動範囲における端位置へ前記フォーカスレンズを駆動し、前記取得手段は、当該駆動が行われた際の駆動量に対応する情報を前記第１の情報として取得する請求項１乃至２３のいずれか１項に記載のレンズ制御装置。
【請求項２５】
前記レンズ装置が前記フォーカスレンズの位置を絶対位置として取得可能な場合、前記取得手段は、前記受け付け手段を介して指定された前記所定のモードにおける端位置を絶対位置の情報として取得することを特徴とする請求項２４に記載のレンズ制御装置。
【請求項２６】
前記制御手段は、前記レンズ装置の識別情報と前記第１の情報とを関連付けて記憶部に記憶することを特徴とする請求項２４または２５に記載のレンズ制御装置。
【請求項２７】
装着されたレンズ装置の識別情報が、前記記憶部に記憶されている前記第１の情報に関連付けられた識別情報と対応する場合、前記制御手段は、当該第１の情報を用いて前記所定のモードにおける前記フォーカスレンズの駆動を制御することを特徴とする請求項２６に記載のレンズ制御装置。
【請求項２８】
前記所定のモードを有効とした状態で前記撮像装置の電源が切られてから再び起動されたときに、前記制御手段は、装着されたレンズ装置の識別情報が、前記記憶部に記憶されている前記第1の情報に関連づけられた識別情報と対応する場合、前記所定のモードを有効とし、前記記憶部に記憶されている前記第1の情報に関連づけられた識別情報と対応しない場合、前記所定のモードを無効とすることを特徴とする請求項２６または２７に記載のレンズ制御装置。
【請求項２９】
フォーカスレンズの駆動範囲を制限する所定のモードにおける前記フォーカスレンズの駆動範囲の少なくとも１つの端位置の指定を受け付ける工程と、
指定された前記所定のモードにおける前記端位置から前記フォーカスレンズの可動範囲における端位置へ前記フォーカスレンズを駆動する工程と、
当該駆動が行われた際の駆動量に対応する情報を、前記所定のモードにおける前記端位置に関する第１の情報として取得する工程と、
前記第１の情報に基づいて、前記所定のモードにおける前記フォーカスレンズの駆動を制御する工程と、を有することを特徴とするレンズ制御装置の制御方法。
【手続補正２】
【補正対象書類名】明細書
【補正対象項目名】発明の名称
【補正方法】変更
【補正の内容】
【発明の名称】レンズ制御装置およびレンズ制御装置の制御方法
【手続補正３】
【補正対象書類名】明細書
【補正対象項目名】０００１
【補正方法】変更
【補正の内容】
【０００１】
本発明は、レンズ制御装置およびレンズ制御装置の制御方法に関する。
【手続補正４】
【補正対象書類名】明細書
【補正対象項目名】０００７
【補正方法】変更
【補正の内容】
【０００７】
上記課題を解決するために、本発明のレンズ制御装置は、フォーカスレンズの駆動範囲を制限する所定のモードにおける前記フォーカスレンズの駆動範囲の少なくとも１つの端位置の指定を受け付ける受け付け手段と、前記受け付け手段を介して指定された前記所定のモードにおける前記端位置に関する第１の情報を取得する取得手段と、前記第１の情報に基づいて、前記所定のモードにおける前記フォーカスレンズの駆動を制御する制御手段と、を有し、前記制御手段は、前記受け付け手段を介して前記所定のモードにおける前記端位置を指定された際に、当該指定された端位置から前記フォーカスレンズの可動範囲における端位置へ前記フォーカスレンズを駆動し、前記取得手段は、当該駆動が行われた際の駆動量に対応する情報を前記第１の情報として取得する。